(57)【特許請求の範囲】
【請求項１】
ケースと、前記ケースを支持する脚部とを備えた脚部付きケースであって、
前記脚部は、
設置面に接触する設置脚部と、
前記設置脚部を下端部に設けた支柱と、
前記支柱の上端部に設けられ、前記支柱を介して前記設置脚部が受ける力を減衰させるダンパー部と、
前記設置脚部が前記設置面に接触して前記脚部によって前記ケースが支持される状態において、前記設置脚部によって支持される被支持部と、
前記ダンパー部と前記設置脚部との間に設けられ、前記設置脚部を前記被支持部から下方の離れる方向に付勢する付勢手段と、を備え、
前記ダンパー部は、
粘性体と、
前記粘性体が収容される粘性体収容部と、
前記支柱の上端部に設けられ、前記粘性体収容部内を変位させることで前記粘性体より変位方向と反対方向の摩擦抵抗を受ける抵抗受体と、備え、
前記設置脚部が前記設置面に接触して前記脚部によって前記ケースが支持されている際には、前記設置脚部が前記被支持部を支持して前記ケースに加わった力を受ける剛脚状態と、
前記設置脚部及び前記ケースが空中に位置している際には、前記付勢手段によって、前記支柱の前記下端部にある前記設置脚部が前記被支持部から下方へ離れるとともに前記支柱の前記上端部にある前記抵抗受体が前記粘性体収容部内で下方に変位し、前記設置脚部が落下により衝突して前記設置脚部が受けた力を前記ダンパー部で減衰させる柔脚状態と、に可変可能に構成されている、
ことを特徴とする脚部付きケース。
【請求項２】
請求項１に記載の脚部付きケースであって、
前記ダンパー部は、前記粘性体を前記粘性体収容部に留める隔壁シール部材を備え、
前記付勢手段は、前記設置脚部と前記隔壁シール部材との間に設けられて、前記設置脚部が空中に位置する状態において前記設置脚部を前記隔壁シール部材から離れる方向に付勢して前記抵抗受体と前記隔壁シール部材とを接触させる、
ことを特徴とする脚部付きケース。
【請求項３】
請求項１または請求項２に記載の脚部付きケースであって、
前記抵抗受体は、前記支柱の周面に設けられた複数の羽根部材により形成されたことを特徴とする脚部付きケース。
【請求項４】
請求項１乃至請求項３のいずれか一項に記載の脚部付きケースを備えたことを特徴とする電子機器。
【発明の詳細な説明】
【技術分野】
【０００１】
本発明は、底面に脚部を備えた脚部付きケース等に関する。
【背景技術】
【０００２】
ケースの落下時の衝撃、即ち、ケースに対して下から力が加わった場合に当該力を吸収してケースへの衝撃を緩和する構造の脚部を有した脚部付きケースを備えたプリンター等の電子機器が知られている。
【先行技術文献】
【特許文献】
【０００３】
【特許文献１】特開２００６−１１６８５０号公報
【発明の概要】
【発明が解決しようとする課題】
【０００４】
上述した従来の脚部付きケースによれば、落下時の衝撃は緩和されるが、ケースが設置部に設置された状態において外部からケースに力が加わった場合、ケース内に取付けられた部品に力が伝達されてしまう。例えば、上述した脚部付きケースを備えたプリンターにおいては、ケースが設置部に設置された状態において外部からケースに力が加わった場合、当該力が印刷ヘッドに伝達され、印刷ヘッドに設けられたノズルからインク滴が漏出してノズルのメニスカスが崩れることがあり、メニスカスが崩れた状態で次に印刷が行われた場合、漏出したインク滴の分だけ記録されるべきドットにインク滴が吐出されず、ドットが形成されないとドット抜けという現象が生じるおそれがある。
即ち、従来の脚部付きケースによれば、設置部に設置された状態において外部からケースに力が加わると、脚部が振動してしまい、当該力が設置部に逃げずにケース内に取付けられた部品に伝達されてしまうという課題があった。
本発明は、ケースが落下した場合に脚部に加わる力や、ケースが設置部に設置された状態においてケースに加わる力が、ケース内の部品に伝達されにくい構造の脚部を有した脚部付きケース等を提供する。
【課題を解決するための手段】
【０００５】
本発明に係る脚部付きケースは、ケースと、前記ケースを支持する脚部とを備えた脚部付きケースであって、前記脚部は、設置面に接触する設置脚部と、前記設置脚部を下端部に設けた支柱と、前記支柱の上端部に設けられ、前記支柱を介して前記設置脚部が受ける力を減衰させるダンパー部と、前記設置脚部が前記設置面に接触して前記脚部によって前記ケースが支持される状態において、前記設置脚部によって支持される被支持部と、前記ダンパー部と前記設置脚部との間に設けられ、前記設置脚部を前記被支持部から下方の離れる方向に付勢する付勢手段と、を備え、前記ダンパー部は、粘性体と、前記粘性体が収容される粘性体収容部と、前記支柱の上端部に設けられ、前記粘性体収容部内を変位させることで前記粘性体より変位方向と反対方向の摩擦抵抗を受ける抵抗受体と、備え、前記設置脚部が前記設置面に接触して前記脚部によって前記ケースが支持されている際には、前記設置脚部が前記被支持部を支持して前記ケースに加わった力を受ける剛脚状態と、前記設置脚部及び前記ケースが空中に位置している際には、前記付勢手段によって、前記支柱の前記下端部にある前記設置脚部が前記被支持部から下方へ離れるとともに前記支柱の前記上端部にある前記抵抗受体が前記粘性体収容部内で下方に変位し、前記設置脚部が落下により衝突して前記設置脚部が受けた力を前記ダンパー部で減衰させる柔脚状態と、に可変可能に構成されたので、ケースが落下した場合に脚部に加わる力や、ケースが設置部に設置された状態においてケースに加わる力が、ケース内の部品に伝達されにくくなる。
前記ダンパー部は、前記粘性体を前記粘性体収容部に留める隔壁シール部材を備え、前記付勢手段は、前記設置脚部と前記隔壁シール部材との間に設けられて、前記設置脚部が空中に位置する状態において前記設置脚部を前記隔壁シール部材から離れる方向に付勢して前記抵抗受体と前記隔壁シール部材とを接触させるので、落下して設置脚部が衝突した場合、抵抗受体が変位する距離をより長くすることができ、ケースが落下した場合に脚部に加わる力がより減衰されて、ケース内の部品に伝達されにくくなる。
前記抵抗受体は、前記支柱の他端側の周面に設けられた複数の羽根部材により形成されたので、羽根部材と粘性体との摩擦抵抗を大きくでき、減衰効果の大きいダンパー部を形成できる。
本発明に係る電子機器は、前記脚部付きケースを備えた電子機器としたので、ケースが落下した場合に脚部に加わる力や、ケースが設置部に設置された状態においてケースに加わる力が、ケース内の部品に伝達されにくくなる電子機器を得ることができる。
【図面の簡単な説明】
【０００６】
【図１】（ａ）は脚部付きケースの脚部の構成を示す断面図、（ｂ）は（ａ）のＡ−Ａ断面図（実施形態１）。
【図２】脚部の分解斜視図（実施形態１）。
【図３】脚部の動作説明図（実施形態１）。
【図４】（ａ）は脚部付きケースを備えたプリンターを示す側面（一部断面）図、（ｂ）は（ａ）の底面図（実施形態２）。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組合せのすべてが発明の解決手段に必須であるとは限らず、選択的に採用される構成を含むものである。
【０００８】
実施形態１
図１；２に基づいて実施形態１の脚部付きケースの構成を説明する。
脚部付きケース１は、ケース（筐体）２と脚部３とを備える。
ケース２は、例えば、合成樹脂により形成され、内部に、機械部品や電子部品等の振動を嫌う部品が取付けられる。
脚部３は、脚体４と、ケース２の下面５より上方に延長するように形成されて脚体４が収容される有底の脚体収容孔６と、粘性体７と、隔壁シール部材８と、シール部材脱落防止手段９と、付勢手段１０とを備える。
脚部３は、例えば、ケース２の四角状の下面５の４角隅部にそれぞれ設けられる（図４参照）。
【０００９】
脚体４は、設置脚部１１と、支柱１２と、抵抗受体１３とを備える。
即ち、脚体４は、一端部に設置台等の設置部１４に接触する設置脚部１１を備えるとともに他端部に支柱１２を介して抵抗受体１３を備えた構成である。
設置脚部１１は、硬質合成樹脂、硬質ゴム、金属等の剛性の高い材料により形成される。即ち、設置脚部１１は、設置脚部１１が設置部１４に接触してケース２が設置部１４に設置された状態においてケース２に力が加わった場合に振動しにくく、当該力を設置部１４に逃すことができる材料により形成される。
抵抗受体１３は、例えば、支柱１２の他端側の周面より突出して支柱１２の軸方向（支柱１２の中心軸線に沿った方向）及び支柱１２の径方向（支柱１２の中心軸線と直交する方向）に延長するように設けられた羽根部材により形成される。このように、抵抗受体１３を羽根部材で形成することにより、羽根部材と粘性体７との摩擦抵抗を大きくでき、後述するダンパー部として減衰効果の大きいダンパー部を形成できるので、衝撃緩和効果をより向上できる。
【００１０】
脚体収容孔６は、例えば、上底１５側の上側孔部１６と、ケース２の下面５側の下側孔部１７と、上側孔部１６と下側孔部１７との間に位置する中間孔部１８とを有する。上側孔部１６、中間孔部１８、下側孔部１７は、例えば、中心軸線が一致した同軸状の断面円形孔により形成され、孔径寸法の大きさが上側孔部１６＜中間孔部１８＜下側孔部１７となるよう形成される。即ち、脚体収容孔６は、３つの異なる孔径の孔部を備えた段差孔により形成される。
そして、上側孔部１６は、内部に粘性体７及び抵抗受体１３を収容した状態で、隔壁シール部材８によって水密状態に区切られる。
また、中間孔部１８と下側孔部１７との境界面となる下側孔部１７のリング面状の上底面が接触部１９として機能し、設置脚部１１が設置部１４に接触してケース２が設置部１４に設置された状態（以下、ケース設置状態という）において、設置脚部１１の上面２０と接触部１９とが接触する。
ケース設置状態において、例えば、接触部１９として機能する下側孔部１７のリング面状の上底面及び当該接触部１９と接触する設置脚部１１の上面２０は、互いに接触する水平面に形成される。
【００１１】
粘性体７としては、例えば、オイル等の粘性流体を用いる。
隔壁シール部材８としては、例えば、オイルシールのようなシール材を用いる。
隔壁シール部材脱落防止手段９は、例えば、止輪９ａと中間孔部１８の内周面を１周するように内周面に形成された環状溝２１とにより構成され、止輪９ａが環状溝２１内に嵌め込まれて隔壁シール部材８の下面２２と接触することにより、隔壁シール部材８の脱落が防止される。
付勢手段１０としては、例えば、コイルばね等のばねを用いる。当該コイルばねは、例えば、コイルばねの中央中空部に支柱１２を通した状態に配置され、設置脚部１１の上面２０とシール部材８の下面２２との間に設けられる。当該コイルばねは、設置脚部１１が空中に位置する状態において設置脚部１１をシール部材８から離れる方向に付勢して抵抗受体１３の下端２４と隔壁シール部材８の上面２３とを接触させるよう機能する（図３（ａ）参照）。
【００１２】
設置脚部１１の径寸法は、下側孔部１７の径寸法と対応する寸法に形成される。例えば、設置脚部１１の径寸法は、下側孔部１７の径寸法よりも数ｍｍ程度小さい寸法に形成される。即ち、設置脚部１１が下側孔部内を上下方向に移動する際に支柱１２及び設置脚部１１の中心軸線が脚体収容孔６の中心軸線に対して傾いた状態とならないように、設置脚部１１の径寸法と下側孔部１７の径寸法とが設定される。
また、図１に示すように、ケース設置状態において、設置脚部１１の高さａ＞下側孔部１７の高さｂ＞隔壁シール部材８の上面２３と抵抗受体１３の下端２４との間の距離ｃ、となるように、ａ、ｂ、ｃの寸法が設定されている。よって、ケース設置状態において、設置脚部１１の下面２５がケース２の下面５よりも下方に突出して設置部１４に接触し、ケース２に力が加わった場合に、当該力がケース２と設置脚部１１との接触部１９を介して設置脚部１１に直接に伝達され、設置脚部１１から設置部１４に伝達される。即ち、ケース２に力が加わった場合に、当該力がケース２内の部品に伝達されないように当該力を設置部１４に逃すことができる。
さらに、設置脚部１１が空中に位置する状態においては、抵抗受体１３の下端２４と隔壁シール部材８の上面２３とが接触するまで、設置脚部１１が付勢手段１０により付勢されて隔壁シール部材８から離れる方向に移動する。この状態においては、上述したようにｂ＞ｃであり、かつ、付勢手段１０の付勢力を選定することによって、設置脚部１１の上部が下側孔部１７内に残るように構成される（図３（ｂ）参照）。
そして、上述したように設置脚部１１の径寸法と下側孔部１７の径寸法とが対応する寸法に形成されているので、ケース２が落下した際に設置脚部１１が設置部１４に衝突して設置脚部１１が下から力を受けた場合に、下側孔部１７が設置脚部１１の上方への移動をガイドするガイド孔として機能し、設置脚部１１が下側孔部１７内を上下方向に移動する際に支柱１２及び設置脚部１１の中心軸線が脚体収容孔６の中心軸線に対して傾いた状態とならないように防止される。
【００１３】
脚部３の作り方の一例を説明する。
ケース２の下面５を上に向けて、上側孔部１６内に粘性体７としてのオイルを充填し、支柱１２の他端に設けられた抵抗受体１３をオイル中に挿入した後に、支柱１２の後端から支柱１２を隔壁シール部材８としてのオイルシールの軸受孔８ａ（図２参照）に嵌め込んでオイルシールの上面２３を中間孔部１８のリング面状の上底面２７に設置する。そして、中間孔部１８の内周面に形成された環状溝２１内に止輪９ａを嵌め込んで隔壁シール部材脱落防止手段９を形成し、オイルシールの軸受孔８ａよりもケース２の下面５側に突出する支柱１２の一端側に付勢手段１０としてのコイルばねを挿入した後に、支柱１２の一端部を設置脚部１１の上面２０に形成された支柱嵌合孔２６（図２参照）に嵌め込んで支柱１２と設置脚部１１とを連結する。この際、設置脚部１１を支柱１２から取り外し可能なように支柱嵌合孔２６に嵌合して連結した構成、あるいは、設置脚部１１が支柱１２から外れないように支柱嵌合孔２６又は支柱１２の一端部に接着剤を付けた後に支柱１２を支柱嵌合孔２６内に嵌合して連結した構成する。
以上により、脚部３が形成される。
【００１４】
脚部３の動作を説明する。
ケース設置状態においては、図３（ａ）に示すように、設置脚部１１の上面２０と下側孔部１７の接触部１９とが接触し、設置脚部１１の下面２５がケース２の下面５よりも下方に突出して設置部１４に接触した状態となる。このケース設置状態において、ケース２に力が加わった場合、力がケース２と設置脚部１１との接触部１９を介してケース２から設置脚部１１に直接に伝達され、設置脚部１１から設置部１４に伝達されるので、力を設置部１４に逃すことができて、ケース２の変形が抑えられ、力がケース２内の部品に伝達されにくくなる。
また、ケース２を持ち上げた状態においては、図３（ｂ）に示すように、設置脚部１１が付勢手段１０により下方に押圧され、抵抗受体１３の下端２４と隔壁シール部材８の上面２３とが接触した状態となり、抵抗受体１３の上端２８と上側孔部１６の上底１５との間の距離が長くなる。従って、例えば、ケース２を持ち上げた状態からケース２が落下して設置脚部１１が設置部１４やその他の物に衝突した場合、衝突により設置脚部１１に加わる力によって設置脚部１１が上方に移動する。このとき、抵抗受体１３が上方に移動する際に、抵抗受体１３の面（支柱１２の中心軸線と直交する面１３ａ及び支柱１２の中心軸線と平行な面１３ｂ（図１（ｂ）参照））と粘性体７との摩擦抵抗によるダンパー部が形成され、このダンパー部のダンピング効果により力が減衰されてケース２に伝達されケース２の落下時の衝撃が吸収されるので、力がケース２内の部品に伝達されにくくなる。
即ち、脚部３は、ケース設置状態においてケース２に力が加わった場合には、当該力を接触部１９を介して設置脚部１１が直接受ける剛脚状態となるとともに、脚部３が空中に位置する状態からケース２が設置部１４に落下して設置脚部１１が設置部１４から力を受けた場合には、設置脚部１１が付勢手段１０に抗して隔壁シール部材８に近づく方向に移動し、かつ、抵抗受体１３が隔壁シール部材８から離れる方向に移動することによって、抵抗受体１３と粘性体７との摩擦抵抗によるダンパー部で減衰してケース２に伝達する柔脚状態となり、この剛脚状態と柔脚状態とに可変可能に構成される。
つまり、実施形態１の脚部付きケース１は、剛柔兼用の脚部３を備えたので、ケース２が落下した場合に脚部３に加わる力や、ケース２が設置部１４に設置された状態においてケース２に加わる力が、ケース２内の部品に伝達されにくくなる。
【００１５】
実施形態２
実施形態１の脚部付きケース１が電子機器の一例としてのプリンターのケースとして用いられた場合について説明する。
図４に示すように、脚部付きケース１を備えたプリンター３０は、脚部付きケース１の内側に、キャリッジ機構３１、図外の印刷対象物搬送機構、その他のプリンター機能構成部品が取付けられ、かつ、開閉体３２がヒンジ３３を介して開閉可能なようにケース２に取り付けられて構成される。
【００１６】
キャリッジ機構３１は、インクを吐出する印刷ヘッド３４を搭載したキャリッジ３５と、キャリッジガイド手段３６と、図外のキャリッジ駆動機構とを備える。
キャリッジガイド手段３６は、例えば、キャリッジ３５をガイドする案内軸３７及び図外のフレームにより形成され、キャリッジ３５は、案内軸３７に沿って往復移動可能なように構成される。
図示しないが、キャリッジ駆動機構は、フレームに固定されたキャリッジ駆動用のモーターと、モーター軸に固定された駆動プーリーと、キャリッジ支持フレームに回転可能に取付けられた従動プーリーと、駆動プーリーと従動プーリーとに掛け渡されて、かつ、キャリッジに連結されたタイミングベルトとを備える。
印刷ヘッド３４には、キャリッジ３５に着脱可能に装着される図外のインクカートリッジ、又は、キャリッジ３５外に装着される図外のインクカートリッジからのインクが供給される。
キャリッジ駆動用のモーターにより駆動プーリーが回転し、キャリッジ３５が取付けられたタイミングベルトのベルト部分が駆動プーリーと従動プーリーとの間の所定領域を往復移動することにより、キャリッジ３５が所定領域を往復移動可能に構成される。
【００１７】
開閉体３２の一例としては、例えば自動給紙機構（ＡＤＦ）付きのスキャナー部を備えた開閉体、スキャナー部の原稿載置部を開閉する開閉体、その他の開閉体がある。
【００１８】
プリンター３０の図外の制御手段が、図外の搬送手段に図外の紙等の印刷対象物をケース２内に取り込ませる動作を行わせるとともにキャリッジ駆動機構にキャリッジ３５の移動動作を行わせ、かつ、印刷対象物に印刷を行うよう印刷ヘッド３４を制御する。
【００１９】
実施形態２のプリンター３０によれば、脚部付きケース１を備えるので、ケース２が落下した場合に脚部３に加わる力や、ケース２が設置部１４に設置された状態においてケース２に加わる力が、ケース２内の部品に伝達されにくくなり、ドット抜けを防止できる。
例えば、プリンター３０を設置部１４に設置する際にプリンターを落下させてしまった場合等、柔脚状態の脚部３を備えていることにより、落下時の衝撃が上述したフレームやケース２を介して印刷ヘッド３４に伝達されるのを防止でき、ドット抜けを防止できるようになる。
また、剛脚状態の脚部３を備えていることにより、ケース設置状態において比較的重い自動給紙機構（ＡＤＦ）付きのスキャナー部を備えた開閉体３２を開閉する際にケース２に加わる力を設置部１４に逃すことができてケース２の変形を抑えることができるので、ケース２が変形してしまうことによって印刷ヘッド３４が動いてしまうことを防止でき、ドット抜けを防止できるようになる。
従って、特許文献１のプリンターと比べて、ドット抜け防止効果に優れたプリンターを得ることができる。
【００２０】
実施形態３
ケース設置状態においてケース２に力が加わっていない状態では設置脚部１１の上面２０と下側孔部１７の接触部１９とが離れた状態となるよう設置脚部１１を保持し、ケース設置状態においてケース２に力が加わった状態では設置脚部１１の上面２０と下側孔部１７の接触部１９とを接触させるダンパー部を備えた脚部３としてもよい。例えば、開閉体３２を開く際や開閉体３２を閉じる際に、最初は柔脚状態で力を吸収し、ケース２に力が加わりやすい開閉体３２の最大開状態となる時や開閉体３２を閉じた時に剛脚状態となってケース２の変形を防止するような脚部３を備えた構成としてもよい。
【００２１】
本発明の脚部付きケース１は、内部に機械部品や電子部品等の振動を嫌う部品が取付けられるケースに使用できて振動抑制効果を発揮する。例えば、上述したプリンター、あるいは、ファクシミリ、複写機、スキャナー装置等の電子機器のケースとして使用できて振動抑制効果を発揮する。
【符号の説明】
【００２２】
１  脚部付きケース、２  ケース、３  脚部、４  脚体、５  ケースの底面、
６  脚体収容孔、７  粘性体、８  隔壁シール部材、９  隔壁シール部材脱落防止手段、
１０  付勢手段、１１  設置脚部、１２  支柱、１３  抵抗受体、１４  設置部、
１９  接触部。
【図１】
0005672039.tif 000002
【図２】
0005672039.tif 000003
【図３】
0005672039.tif 000004
【図４】
0005672039.tif 000005